(57)【要約】【課題】本考案はロールペーパーの先端が簡単に見つかり、誰でも指先で摘んでスムーズに引出すことが出来るロールペーパー引出し装置を提供することを目的とする。【解決手段】ロールペーパー用のホルダー本体６の側面に貼着する固定支持具１と、該固定支持具１に支持される軸受２と、その軸受２に軸支すると共にホルダー本体６の内側端部で回動自在な回動板３と、該回動板３の先端に固着すると共にホルダー本体６に装着されるロールペーパーの幅と略同じ長さで且つ先端に行くに従って上反りに形成する板バネである浮かせ板４とから、少なくとも構成する構造とする。【選択図】図１
0003134817.tif 000002
【実用新案登録請求の範囲】
【請求項１】
ロールペーパー用のホルダー本体（６）の側面に貼着する固定支持具（１）と、該固定支持具（１）に支持される軸受（２）と、その軸受（２）に軸支すると共に前記ホルダー本体（６）の内側端部で回動自在な回動板（３）と、該回動板（３）の先端に固着すると共に前記ホルダー本体（６）に装着されるロールペーパー（８）の幅と略同じ長さの浮かせ板（４）とから、少なくとも構成したことを特徴とするロールペーパー引出し装置。
【請求項２】
ロールペーパー用のホルダー本体（６）の前方に突設する軸受（２）と、その軸受（２）に軸支すると共に前記ホルダー本体（６）の内側端部で回動自在な回動板（３）と、該回動板（３）の先端に固着すると共に前記ホルダー本体（６）に装着されるロールペーパー（８）の幅と略同じ長さの浮かせ板（４）とから、少なくとも構成したことを特徴とするロールペーパー引出し装置。
【請求項３】
前記浮かせ板（４）が板バネであり、且つ先端に行くに従って上反りに形成された請求項１又は２記載のロールペーパー引出し装置。
【請求項４】
前記浮かせ板（４）の断面形状が上方へ湾曲された請求項１、２又は３記載のロールペーパー引出し装置。
【請求項５】
前記浮かせ板（４）の表面に滑り部材（５）を設けた請求項１、２、３又は４記載のロールペーパー引出し装置。
【請求項６】
前記軸受（２）が前記ホルダー本体（６）と一体成形され、且つ前記回動板（３）と前記浮かせ板（４）が一体成形された請求項２記載のロールペーパー引出し装置。
【考案の詳細な説明】
【技術分野】
【０００１】
本考案はトイレのロールペーパー用のホルダー本体に取付けられるロールペーパー引出し装置に関する。
【背景技術】
【０００２】
一般にホルダーに装着したロールペーパーが任意の長さに切断された後、次にロールペーパーを使用する場合、ロールペーパーが切断された先端は蓋体の下に隠れているため、ロール側を手で回転させてロールペーパーの先端を少し出し、その先端を見つけて引出すことが多く行われている。しかしながら、ロールペーパーを切刃部で切断する際に、蓋体によってロールペーパーの上方からロール側に対して押圧力が加わるため、そのロールペーパーの先端はロール側に密着した状態になり易くなり、その状態でロール側を手で回転させてもその先端は共回りし、且つロールペーパーの先端が目視では判別しにくくなる。この結果、ロール側を手で勢い良く数回転させないと、ロールペーパーの先端がロール側から剥離しにくくなり、ロールペーパーの引出しが出来ないことも生じていた。特にロールペーパーが１枚巻きの場合のロールペーパーの引出しは、その先端がロール側に貼付いて指先で摘んでスムーズに引出すことが出来ないことも多くあった。従って、ロールペーパーの先端がロール側に密着している時は、その先端を剥がしてから摘み、使用したい長さまで引出していた。
【０００３】
このため、ロールペーパーの先端が簡単に引出されて誰にでも指先で摘むことが出来るものとして、特開２００６−１４１９２１や実案登録第３０７４０５４号などが提案されている。この構造は、ロールペーパー用のトイレットペーパーホルダーの蓋体に横長な貫通穴や切欠きを設け、ロールペーパーの先端を前記貫通穴や切欠きから蓋体の表面に出し、蓋体先端の切刃部によって切断するものであった。
【０００４】
しかしながら、特開２００６−１４１９２１や実案登録第３０７４０５４号は、ロールペーパーの先端を指先で摘んで引出すと、ロールペーパーが前記貫通穴や切欠きに引掛り易く、且つ引出す際の抵抗が大きいため、スムーズに引出しが行えず、実用化されていないのが現状である。
【特許文献１】特開２００６−１４１９２１号公報
【特許文献２】実案登録第３０７４０５４号公報
【考案の開示】
【考案が解決しようとする課題】
【０００５】
本考案はロールペーパーの先端が簡単に見つかり、誰でも指先で摘んでスムーズに引出すことが出来るロールペーパー引出し装置を提供することを目的とする。
【課題を解決するための手段】
【０００６】
本考案は上記問題点を解消するために成されたものであり、つまり、ロールペーパー用のホルダー本体の側面に貼着する固定支持具と、該固定支持具に支持される軸受と、その軸受に軸支すると共にホルダー本体の内側端部で回動自在な回動板と、該回動板の先端に固着すると共にホルダー本体に装着されるロールペーパーの幅と略同じ長さの浮かせ板とから、少なくとも構成する構造とする。又、簡略化したものとして、ロールペーパー用のホルダー本体の前方に突設する軸受と、その軸受に軸支すると共にホルダー本体の内側端部で回動自在な回動板と、該回動板の先端に固着すると共にホルダー本体に装着されるロールペーパーの幅と略同じ長さの浮かせ板とから、少なくとも構成するものとしても良い。前記浮かせ板として、先端に行くに従って上反りに形成する板バネを用いるか、或いは断面形状が上方へ湾曲されたものとするのが好ましく、その浮かせ板の表面に滑り部材を設けておくのが好ましい。更に軸受をホルダー本体と一体成形し、且つ回動板と浮かせ板を一体成形させたものとしても良い。
【考案の効果】
【０００７】
請求項１のようにロールペーパー用のホルダー本体（６）の側面に貼着する固定支持具（１）と、該固定支持具（１）に支持される軸受（２）と、その軸受（２）に軸支すると共にホルダー本体（６）の内側端部で回動自在な回動板（３）と、該回動板（３）の先端に固着すると共にホルダー本体（６）に装着されるロールペーパー（８）の幅と略同じ長さの浮かせ板（４）とから、少なくとも構成することにより、浮かせ板（４）がロールペーパー（８）のロール部（81）とその先端部（82）との間に配置させることができ、浮かせ板（４）によって先端部（82）を持上げて浮いた状態が確保可能となる。従って、ロール部（81）とその先端部（82）との間に隙間を持たせ、ロール部（81）を少し回転するか、或いは蓋体（７）を開けてその浮いた先端部（82）を摘めば、いつでもロールペーパー（８）の先端部（82）が簡単に見つけられて引出せるものとなり、切断がスムーズに行えるものとなるのである。また本考案は既存のホルダー本体（６）に簡単に取付けることが出来ると共にロールペーパー（８）の直径が小さくなっても、常に浮かせ板（４）は回動板（３）が介在されて軸受（２）を中心部に向って動くため、ロールペーパー（８）の外径の大きさに合せた安定位置で配置されることが可能となる。
【０００８】
請求項２のようにロールペーパー用のホルダー本体（６）の前方に突設する軸受（２）と、その軸受（２）に軸支すると共に前記ホルダー本体（６）の内側端部で回動自在な回動板（３）と、該回動板（３）の先端に固着すると共にホルダー本体（６）に装着されるロールペーパー（８）の幅と略同じ長さの浮かせ板（４）とから、少なくとも構成することにより、請求項１と同様の効果が得られると共に、部品点数を減らすことができるため、製造コストが低減化されるものとなる。
【０００９】
請求項３に示すように浮かせ板（４）として、先端に行くに従って上反りに形成された板バネを使用することにより、蓋体（７）を押圧してロールペーパー（８）の先端部（82）が切断される際に、蓋体（７）の形状によっては浮かし板（４）が押されて変形しても、その切断時、蓋体（７）先端の切刃部が浮くことなくロールペーパー（８）の先端部（82）に密着して切断できるので、きれいに且つスムーズな切断が行えるものとなる。又、先端部（82）による切断後は、浮かし板（４）の弾性によって、ロールペーパー（８）の先端部（82）はロール部（81）と完全に剥離されて浮いた状態でいつでも繰出し可能な状態となるのである。
【００１０】
請求項４に示すように浮かせ板（４）の断面形状を上方へ湾曲したものとすることにより、ロールペーパー（８）の先端部（82）を引出す際の抵抗は、浮かせ板（４）の曲面部と先端部（82）が摺動されてもスムーズに移動し、その抵抗は減少されたものとなる。このため、ロールペーパー（８）の先端部（82）が引出される動作は、よりスムーズに行えるものとなる。
【００１１】
請求項５のように浮かせ板（４）の表面に滑り部材（５）を設けることにより、ロールペーパー（８）の先端部（82）を引出す際の抵抗が、長期間に渡ってより減少されたものとなるため、ロールペーパー（８）の先端部（82）の引出される動作が、よりスムーズに且つ安定して行えるものとなる。
【００１２】
請求項６のように軸受（２）をホルダー本体（６）と一体成形し、且つ回動板（３）と浮かせ板（４）を一体成形することにより、部品点数をより減少化させることができるため、製造コストのコストダウンも可能となり、より多くの人に本考案品を提供することができるものとなる。
【考案を実施するための最良の形態】
【００１３】
図１は本考案の実施形態を示す図であり、これに基づき説明する。(１)は後述する既設のホルダー本体（６）の側面に貼着する固定支持具であり、該固定支持具（１）には、前記ホルダー本体（６）の側面に固定する部分と軸受部分を有した支持部（11）と、該支持部（11）にスライド可能に軸支された伸長軸（12）と、その伸長軸（12）及び後述する軸受（２）に取付けた出し入れ可能な軸を固定するための止め具（13）とがある。また前記固定支持具（１）は支持部（11）の底面に図示しない両面粘着テープを貼着しておくと良く、また接着剤や粘着剤で直接に固定して用いても良い。（２）は固定支持具（１）の伸長軸（12）の先端と固着した軸受であり、該軸受（２）に伸長軸（12）と直角に穿設した挿入穴を有している。（３）は軸受（２）に一端を軸支すると共に前記ホルダー本体（６）の内側端部で回動自在な回動板である。
【００１４】
（４）は回動板（３）の他端に固着すると共にホルダー本体（６）に装着されるロールペーパー（８）の幅と略同じ長さの浮かせ板であり、該浮かせ板（４）としては、先端に行くに従って上反りに形成した図３（ａ）のような板バネを用いると良く、その断面形状が図３（ｂ）のように上方へ湾曲されたものとするのが好ましい。（５）は浮かせ板（４）の表面に設けた滑り部材であり、該滑り部材（５）としては耐摩耗性のシリコン系テープなどを用いると良いが、シリコン系やフッソ系樹脂などの溶液を浮かせ板（４）の表面に塗布しても良い。（６）はロールペーパー用の既設したホルダー本体であり、（７）は先端側に切刃部を有した一般的な蓋体であり、該蓋体（７）の先端側上面に、蓋体（７）が持上げられ易くするための手掛け部を突設させておくと良い。尚、前記滑り部材（５）は必ずしも必要ではない。
【００１５】
図２は本考案の別実施形態を示す図であり、これは前記実施形態と比べ、ロールペーパー用のホルダー本体（６）の前方に突設する軸受（２）が始めから一体成形され、且つ前記回動板（３）と前記浮かせ板（４）が一体成形されると共に部品点数を減少させた合成樹脂製のものである。前記浮かせ板（４）の断面形状としては、図３（ｂ）のように上方へ湾曲したものとするのが好ましい。また前記浮かせ板（４）の接触抵抗を低減化させるために、その表面に耐摩耗性のシリコン系テープなどの滑り部材（５）を貼着させるか、或いはシリコン系やフッソ系樹脂などの滑り部材（５）の溶液を浮かせ板（４）の表面に塗布させたものとしても良い。尚、前記固定支持具（１）は不要であり、前記滑り部材（５）は必ずしも必要ではない。
【００１６】
次に本考案品の取付け方について説明する。先ず支持部（11）の底面に予め設けた両面粘着テープの剥離紙を剥がし、ホルダー本体（６）の側面の中央付近に貼付けて固定支持具（１）を固定する。そして予め軸受（２）に固着した伸長軸（12）の長さを調節し、支持部（11）側の止め具（13）を締付けて軸受（２）が固定される。次に軸受（２）に軸支された軸の長さを調節して回動板（３）がホルダー本体（６）の内側端部で且つ装着したロールペーパー（８）に当ることなく回動自在になるようにセットする。この時、回動板（３）の先端には浮かせ板（４）が固定されている。次に浮かせ板（４）をロールペーパー（８）のロール部（81）とその先端部（82）との間に入れて図５（ａ）に示すようにセットする。すると、図３に示すようにロール部（81）とその先端部（82）との間に浮きを生じ、隙間が確保されるのである。
【００１７】
図４は本考案で使用する浮かせ板（４）の動作を示す図であり、この図に基づいて説明する。先ず２点鎖線で示す（ａ）の状態はロールペーパー（８）が新しい時であり、実線で示す（ｂ）の状態はロールペーパー（８）が残り少なくなった時である。この時の浮かせ板（４）の移動は、回動板（３）を介在させてロールペーパー（８）の中心部に向って自動的に回動されるため、ロールペーパー（８）を消費してその直径が小さくなっても、ロールペーパー（８）の外径の大きさに合せた安定位置で配置することが可能となるのである。この時の回動板（３）が自動的に回動される理由は、回動板（３）と浮かせ板（４）の自重によって自然に行われるのである。
【００１８】
次に本考案の作用を図５に基づいて説明する。予め浮かせ板（４）をロールペーパー（８）のロール部（81）とその先端部（82）との間に入れて図５（ａ）に示すようにセットしておく。この時、浮かせ板（４）は図３に示すように上反りに形成した板バネ或いは断面形状が上方へ湾曲された樹脂製のものを使用すると良い。先ず始めにロールペーパー（８）のロール部（81）を図中の矢印のように軽く手で回すと、蓋体（７）の下に隠れている先端部（82）が少し出る。この時、先端部（82）は浮かせ板（４）でロール部（81）と完全に剥離して浮いた状態で繰出され、その先端部（82）全体が従来の如きロール部（81）と密着することがなくなり、誰にでも直ぐに先端部（82）を見つけ出すことがきるものとなる[図５（ｂ）参照]。この先端部（82）を指先で摘み、使用長さ分を引出せば、スムーズに引出しが行われるものとなる[図５（ｃ）参照]。次に、その先端部（82）は蓋体（７）の切刃部によってロール部（81）と接触させると共に蓋体（７）を押え、且つその先端部（82）を上方に持上げると、使用長さ分が切り離されるのである。すると、その切断された先端部（82）は切刃部がロール部（81）に押圧されて密着するが[図５（ｄ）参照]、ロールペーパー（８）のロール部（81）を軽く手で回すと、蓋体（７）の下に隠れている先端部（82）が少し出ると共に、その先端部（82）の奥側はロール部（81）と剥離された状態で繰出されて来るため、その先端部（82）は若干浮き気味になって直ぐに見つけ出すことが出来るものとなる[図５（ｅ）参照]。尚、次回にロールペーパー（８）を使用する時は上記以外に、図５（ｄ）の状態に於いて蓋体（７）を持上げると、浮かせ板（４）によって先端部（82）が浮いた状態になっているので、それを直接に摘んで引出すものとしても良い。この時、蓋体（７）の先端側上面に手掛け部が突設されたものを用いると良い。
【００１９】
このように本考案品は、ロール部（81）とその先端部（82）との間に常に浮きを生じ、隙間が確保されているものとなるため、次回にロールペーパー（８）を使用する場合、ロール部（81）を少し回転するか、或いは蓋体（７）を開けてその浮いた先端部（82）を摘めば、いつでもロールペーパー（８）の先端部（82）が簡単に引出せるものとなり、切断がスムーズに行えるものとなるのである。この時の先端部（82）は確実に視認でき、誰にでもそれが簡単に見つかるものとなるのである。尚、ロールペーパー（８）を交換する際は、浮かせ板（４）が交換時の邪魔にならないように、ロールペーパー（８）の上方或いは前方へ移動させた後、通常方法でロールペーパー（８）の交換を行えば良い。
【図面の簡単な説明】
【００２０】
【図１】本考案の実施形態を示す説明図である。
【図２】本考案の別実施形態を示す説明図である。
【図３】本実施形態の浮かせ板の要部を示す説明図である。
【図４】本実施形態の浮かせ板の動作を示す説明図である。
【図５】本考案の作用を示す説明図である。
【符号の説明】
【００２１】
１  固定支持具
２  軸受
３  回動板
４  浮かせ板
５  滑り部材
６  ホルダー本体 
８  ロールペーパー
【図１】
0003134817.tif 000003
【図２】
0003134817.tif 000004
【図３】
0003134817.tif 000005
【図４】
0003134817.tif 000006
【図５】
0003134817.tif 000007